(57)【要約】【課題】浴槽内を対流する湯の温度を測定可能にして、温度の検出精度を向上させた温度検出機能付きデジタル式防水時計を提供する。【解決手段】温度検出機能付きデジタル式防水時計は、サーミスタ１０及びサーミスタ１０を収容するセンサカバー１１と、ディスプレイ２０と、サーミスタ１０を用いて検出した温度をディスプレイ２０に表示可能な電子部２１と、ディスプレイ２０及び電子部２１を水密に収容する筐体３とを有する。センサカバー１１は、筐体３から突出する筒状部位を有し、筒状部位の軸に直交し且つ互いに平行な二方向（上方ＵＤ１及び下方ＵＤ２）に少なくとも開放されるように筐体３との位置関係が設定されている。【選択図】図３
0003180306.tif 000002
【実用新案登録請求の範囲】
【請求項１】
サーミスタ及びサーミスタを収容するセンサカバーと、ディスプレイと、前記サーミスタを用いて検出した温度を前記ディスプレイに表示可能な電子部と、前記ディスプレイ及び前記電子部を水密に収容する筐体とを備える温度検出機能付きデジタル式防水時計であって、
前記センサカバーは、前記筐体から突出する筒状部位を有し、筒状部位の軸に直交し且つ互いに平行な二方向に少なくとも開放されるように前記筐体との位置関係が設定されていることを特徴とする温度検出機能付きデジタル式防水時計。
【請求項２】
前記センサカバーは、前記筐体に形成された溝内部に配置されており、
前記溝は、前記センサカバーの筒状部位を二方向に開放するとともに、前記筒状部位を挟む位置に配置された対をなす溝壁で包囲する形状をなし、溝の幅方向から見て前記溝壁が前記センサカバーの全てに重なり合う溝深さ、溝長さに設定されている請求項１に記載の温度検出機能付きデジタル式防水時計。
【請求項３】
前記筐体は、前記電子部及び前記ディスプレイを収容する偏平形状の本体部と、前記本体部の背面側に設けられ前記本体部を起立させるための土台部を有し、
前記溝は、前記土台部の一部を切り欠いた状態にすることで形成されている請求項２に記載の温度検出機能付きデジタル式防水時計。
【請求項４】
前記筐体は、当該筐体を液体中に浮かせるための中空部を有し、
前記センサカバーは、前記筐体が液体中に浮いている状態において液面から所定距離沈んだ位置において水平方向の少なくとも二方向に開放されるように、前記筐体との位置関係が規定されている請求項１〜３のいずれかに記載の温度検出機能付きデジタル式防水時計。
【請求項５】
前記センサカバーと前記サーミスタとは、熱伝導性を有する接着剤で固定されている請求項１〜４のいずれかに記載の温度検出機能付きデジタル式防水時計。
【請求項６】
浸水状態であるか否かを検出する水検知センサを備え、
前記電子部は、前記水検知センサにより浸水状態であることが検出されないときには、予め定められた第一の頻度で温度を繰り返し検出する一方で、前記水検知センサにより浸水状態であることが検出されるときには、前記第一の頻度よりも高い頻度で温度を繰り返し検出するように構成されている請求項１〜５のいずれかに記載の温度検出機能付きデジタル式防水時計。
【請求項７】
前記電子部は、或る頻度で温度を繰り返し検出する高速検出モードでの動作と、前記或る頻度よりも少ない頻度で温度を繰り返し検出する低速検出モードでの動作とを切り替え可能に構成されており、
前記高速検出モードでの動作時において、所定時間以内に複数回検出した温度の平均値と、最近検出した温度との差が所定範囲内に収まっている場合のみ、前記低速検出モードでの動作に切り替え、
前記低速検出モードでの動作時において、最近検出した温度と、前回検出した温度との差が所定値を超えている場合にのみ、前記高速検出モードでの動作に切り替えるように構成されている請求項１〜６のいずれかに記載の温度検出機能付きデジタル式防水時計。
【考案の詳細な説明】
【技術分野】
【０００１】
本考案は、湯温や室温などの温度を検出する温度検出機能付きデジタル式時計に関する。
【背景技術】
【０００２】
従来から、主に入浴時に用いる湯温の検出に対応した時計が要求されている。特許文献１には、アナログ時計とアナログ温度計とを一体化した防水時計が開示されている。近年では、時計をデジタル化して、時計機能やタイマー機能、温度計機能を備えたデジタル式防水時計が有用とされている。
【０００３】
湯温計として用いられる一般的なデジタル式防水時計は、センサカバーに被覆されるサーミスタと、ディスプレイと、前記サーミスタを用いて検出した温度を前記ディスプレイに表示可能な電子部と、前記ディスプレイ及び前記電子部を水密に収容する筐体とを有する。このようなデジタル式防水時計は、筐体の一部に凹部を形成し、この凹部内に温度センサを配置する構造が一般的である。
【０００４】
なお、湯温計ではないが、参考として、特許文献２には、筐体内部にサーミスタを配置し、サーミスタを被覆するセンサカバーに外気を進入させる連通路を設け、外気温の検出に対応したデジタル式の腕時計が開示されている。
【先行技術文献】
【特許文献】
【０００５】
【特許文献１】登録実用新案第３０３９５２４号公報
【特許文献２】実開平５−６６５８７号公報
【考案の概要】
【考案が解決しようとする課題】
【０００６】
しかしながら、上記従来のデジタル式防水時計は、筐体に設けた凹部に温度センサを配置しているので、センサカバーを介してサーミスタが測定する湯の温度は、浴槽内を対流する湯の温度ではなく、凹部に滞留している湯の温度となる。したがって、浴槽全体の湯温を適切に測定できるとは言い難い。
【０００７】
本考案は、このような課題に着目してなされたものであって、その目的は、浴槽内を対流する湯の温度を測定可能にして、温度の検出精度を向上させた温度検出機能付きデジタル式防水時計を提供することである。
【課題を解決するための手段】
【０００８】
本考案は、かかる目的を達成するために、次のような手段を講じたものである。
【０００９】
すなわち、本考案の温度検出機能付きデジタル式防水時計は、サーミスタ及びサーミスタを収容するセンサカバーと、ディスプレイと、前記サーミスタを用いて検出した温度を前記ディスプレイに表示可能な電子部と、前記ディスプレイ及び前記電子部を水密に収容する筐体とを備える温度検出機能付きデジタル式防水時計であって、
前記センサカバーは、前記筐体から突出する筒状部位を有し、筒状部位の軸に直交し且つ互いに平行な二方向に少なくとも開放されるように前記筐体との位置関係が設定されていることを特徴とする。
【００１０】
この構成によれば、センサカバーは、筒部の軸に直交し且つ互いに平行な二方向に少なくとも開放されているので、センサカバーの周囲は湯の流動性がよく、湯を滞留させることなく、流動している湯の温度を検出することが可能となる。したがって、多くとも一方向にしか開放されておらず凹部に滞留する湯の温度を検出する従来に比べて、浴槽全体の湯の温度を検出でき、温度の検出精度を向上させることが可能となる。
【００１１】
センサカバーを保護して、センサ部分の破損又は故障を抑制するためには、前記センサカバーは、前記筐体に形成された溝内部に配置されており、前記溝は、前記センサカバーの筒状部位を二方向に開放するとともに、前記筒状部位を挟む位置に配置された対をなす溝壁で包囲する形状をなし、溝の幅方向から見て前記溝壁が前記センサカバーの全てに重なり合う溝深さ、溝長さに設定されていることが好ましい。
【００１２】
正面からの見栄えを損なわないスタイリッシュな時計を提供するためには、前記筐体は、前記電子部及び前記ディスプレイを収容する偏平形状の本体部と、前記本体部の背面側に設けられ前記本体部を起立させるための土台部を有し、前記溝は、前記土台部の一部を切り欠いた状態にすることで形成されていることが好ましい。
【００１３】
湯や水などの液体中に浮かべる際に、適切な温度検出を可能にするためには、前記筐体は、当該筐体を液体中に浮かせるための中空部を有し、前記センサカバーは、前記筐体が液体中に浮いている状態において液面から所定距離沈んだ位置において水平方向の少なくとも二方向に開放されるように、前記筐体との位置関係が規定されていることが好ましい。
【００１４】
より適切な温度検出を可能にするためには、前記センサカバーと前記サーミスタとは、熱伝導性を有する接着剤で固定されていることが好ましい。
【００１５】
消費電力を抑制するとともに、適切な検出レスポンスを確保するためには、浸水状態であるか否かを検出する水検知センサを備え、前記電子部は、前記水検知センサにより浸水状態であることが検出されないときには、予め定められた第一の頻度で温度を繰り返し検出する一方で、前記水検知センサにより浸水状態であることが検出されるときには、前記第一の頻度よりも高い頻度で温度を繰り返し検出するように構成されていることが好ましい。
【００１６】
温度変化に応じた高い検出レスポンスと、電力消費の抑制とを両立するためには、前記電子部は、或る頻度で温度を繰り返し検出する高速検出モードでの動作と、前記或る頻度よりも少ない頻度で温度を繰り返し検出する低速検出モードでの動作とを切り替え可能に構成されており、
前記高速検出モードでの動作時において、所定時間以内に複数回検出した温度の平均値と、最近検出した温度との差が所定範囲内に収まっている場合のみ、前記低速検出モードでの動作に切り替え、
前記低速検出モードでの動作時において、最近検出した温度と、前回検出した温度との差が所定値を超えている場合にのみ、前記高速検出モードでの動作に切り替えるように構成されていることが好ましい。
【考案の効果】
【００１７】
本考案は、以上説明したように、サーミスタを収容するセンサカバーの筒状部位が互いに平行な二方向に少なくとも開放されているので、センサカバー周囲の湯の流動性をよくして、適切な温度検出が可能となる。したがって、多くとも一方向にしか開放されておらず凹部に滞留する湯の温度を検出する従来に比べて、浴槽全体の湯の温度を検出でき、温度の検出精度を向上させることが可能となる。
【図面の簡単な説明】
【００１８】
【図１】本考案の一実施形態に係る温度検出機能付きデジタル式防水時計を示す正面図。
【図２】同時計を示す側面図。
【図３】同時計のセンサカバー及びその周囲構造を示す図。（ａ）同時計の底面図。（ｂ）同時計のセンサカバーの背面図。（ｃ）センサカバーの内部構造を模式的に示す図。
【図４】同時計の使用状態を示す側面図。（ａ）不意に落下したときの動作説明図。（ｂ）湯に浮かべたときの使用状態を示す図。
【図５】電子部が実行する温度検出処理ルーチンを示すフローチャート。
【考案を実施するための形態】
【００１９】
以下、本考案の一実施形態を、図面を参照して説明する。
【００２０】
本実施形態の温度検出機能付きデジタル式防水時計は、図３に示すように、サーミスタ１０及びサーミスタ１０を収容するセンサカバー１１と、液晶を用いたディスプレイ２０（図１参照）と、サーミスタ１０を用いて検出した温度をディスプレイに表示可能な電子部２１と、ディスプレイ２０及び電子部２１を水密に筐体３とを有する。この時計は、筐体３が樹脂製で形成され、図１、図２及び図３に示すように、電子部２１及びディスプレイ２０を収容する偏平状の本体部３０と、本体部３０の背面側に設けられ本体部３０を起立させるための土台部３１とを有する置き時計である。図１に示すように、本体部３０は、正面視が円状をなし、全体として円盤形状に形成されている。本体部３０の正面には、内部のディスプレイ２０を視認可能な窓が設けられているとともに、内部の電子部２１を操作するための操作ボタン２２が配置されている。図３（ａ）及び図２に示すように、土台部３１は、底面視でほぼ矩形状の板状部位が本体部３０の下部から背面に向かって延びており、土台部３１を載置面ｆに置くことで、本体部３０を起立姿勢に保持するものである。
【００２１】
図３（ａ）に示す電子部は、CPUやメモリを有する一般的なマイクロコンピュータであり、サーミスタ１０を用いて温度を検出し、その温度をディスプレイ２０に表示する温度計モードでの動作と、時刻をディスプレイ２０に表示する時計モードでの動作と、カウントダウン及びカウントアップを行うタイマーモードでの動作と、設定した温度に検出温度が到達したときに音をならせるアラームモードでの動作とを実行可能に構成されている。これらのモードは、図１に示す操作ボタン２２を操作（押圧）することにより切り替え可能である。
【００２２】
図３（ａ）及び（ｂ）に示すように、土台部３１の背面端部位の中央部には、当該中央部を切り欠いた状態にすることで溝４が形成されている。この溝４は、上下方向ＵＤに延びて土台部３１を貫通し、背面に向かって開口するU字状をなしている。溝４の溝底４０は正面側にあり、溝４の溝壁４１は溝底４０から背面側に向かって延びている。
【００２３】
図３（ａ）、（ｂ）及び（ｃ）に示すように、センサカバー１１は、ステンレスなどの金属製で、筐体３の土台部３１に形成された上記溝底４内部に配置されている。センサカバー１１は、溝底４の溝底４から溝深さ方向ＤＤ（前後方向）に沿って突出する筒状をなし、基端から先端に向かうにつれて径が細くなる先細り形状をなしている。センサカバー１１は中空に形成され、先端部の内部にはサーミスタ１０が配置されている。センサカバー１１とサーミスタ１０とは、熱伝導性を有する接着剤１２で固定されている。センサカバー１１の内面と接着剤１２とが面接触し、且つ、接着剤１２とサーミスタ１０とが面接触しているため、センサカバー１１を介して湯の温度がサーミスタ１０に適切に伝導する。
【００２４】
センサカバー１１は、図３（ａ）に示すように、平面視及び底面視において、溝底４０及び溝壁４１と重なっておらず、上下方向ＵＤに開放されている。一方、センサカバー１１は、図３（ｂ）に示すように、その筒状部位を左右両側から挟む位置に対をなす溝壁４１が配置されて包囲されており、左右方向ＷＤ（溝の幅方向）に開放されていない。図３（ａ）に示すように、溝深さＤ１はセンサカバー１１の長さよりも深く、図３（ｂ）に示すように、溝長さＤ２はセンサカバー１１の外径よりも大きい。すなわち、図２に示すように、溝の幅方向ＷＤ（左右方向ＷＤ）から見て溝壁４１がセンサカバー１１の全てに重なり合うように、溝深さＤ１、溝長さＤ２が設定されている。このように、筒状部位の軸に直交し且つ互いに平行な二方向（上方ＵＤ１及び下方ＵＤ２）にセンサカバー１１が開放されるように、センサカバー１１と溝４（筐体３）との位置関係が規定されている。具体的には、センサカバー１１は、上方ＵＤ１、下方ＵＤ２及び後方の三方向に開放される。
【００２５】
図４（ｂ）に示すように、筐体３（本体部３０）は、本体部３０の正面３０ａが上方を向く姿勢で液体中に浮かせるための中空部３ｈを有する。浮遊時には、土台部３１は本体部３０から下方に向かって延び、土台部３１の先端にセンサカバー１１が設けられ、センサカバー１１が下方を向く姿勢となるため、センサカバー１１が水平方向のいずれか二方向に筐体３から開放される。すなわち、センサカバー１１は、筐体３が液体中に浮いている状態において液面から所定距離Ｄ３（例えば約３０ｍｍ）沈んだ位置において水平方向の少なくとも二方向に開放されるように、筐体３との位置関係が規定されている。
【００２６】
図２に模式的に示すように、本体部３０の背面には、浸水状態であるか否かを検出する水検知センサ５が設けられている。水検知センサ５は、筐体３外部に露出する２つの電極を有し、これら電極の間を流れる電流値に応じて浸水状態であるか否かを検出する。水検知センサ５は、水が電気を流すことを利用したもので、電流が流れているときには、浸水状態であると判定し、電流が流れていないときには、非浸水状態であると判定する。
【００２７】
図３に示す電子部は、第一の頻度（１分間に１回）で繰り返し温度を計測する空気中温度センシングモードでの動作と、第一の頻度よりも高い第二の頻度（３秒間に１回）で繰り返し温度を計測する高速検出モードでの動作と、第二の頻度よりも少ない第三の頻度（３０秒間に１回）で繰り返し温度を計測する低速検出モードでの動作と、を切り替え可能に構成されている。
【００２８】
電子部２１は、図５に示す温度検出処理ルーチンをＣＰＵが実行することにより、ハードウェアと協働して、次に述べるように、予め設定された頻度で温度を繰り返し検出するように構成されている。例えば、図５に示すように、水検知センサ５により浸水状態であることが検出されないとき（ＳＴ１：ＮＯ、ＳＴ４：ＮＯ、ＳＴ９：ＮＯ参照）には、予め定められた第一の頻度（１回／１分毎）で温度を繰り返し検出する（空気中温度センシングモード）。一方、水検知センサ５により浸水状態であることが検出されるとき（ＳＴ１：ＹＥＳ、ＳＴ４：ＹＥＳ、ＳＴ９：ＹＥＳ参照）には、第一の頻度（１回／１分毎）よりも高い頻度（１回／３０秒毎、１回／３秒毎）で温度を繰り返し検出する（高速検出モード又は低速検出モード）。
【００２９】
また、電子部２１は、図５に示すように、高速検出モードの動作時（ＳＴ２参照）において、所定時間（例えば１５秒）以内に複数回検出した温度の平均値と、最近検出した温度との差が所定範囲内（例えば±０．４℃）に収まっている場合のみ、温度が安定しているとして、低速検出モードでの動作に切り替える（ＳＴ７：ＹＥＳ参照）。一方、上記温度差が所定範囲内に収まっていないと判定した場合には、温度変化があるとして、高速検出モードでの動作を維持する（ＳＴ７：ＮＯ参照）。具体的には、３秒毎に検知した５回分の温度の平均値を算出し（ＳＴ６参照）、平均値と最近検出した温度との差を比較する。
【００３０】
また、電子部は、低速検出モードの動作時（ＳＴ８参照）において、最近検出した温度と、前回検出した温度との差が所定値（例えば±０．５℃）を超えている場合にのみ、温度変化が著しいとして、高速検出モードでの動作に切り替える（ＳＴ１１：ＹＥＳ参照）。一方、上記温度差が所定値を超えていない場合には、温度変化があまりないとして、低速検出モードでの動作を維持する（ＳＴ１１：ＮＯ参照）。
【００３１】
以上のように、本実施形態に係る温度検出機能付きデジタル式防水時計は、サーミスタ１０及びサーミスタ１０を収容するセンサカバー１１と、ディスプレイ２０と、サーミスタ１０を用いて検出した温度をディスプレイ２０に表示可能な電子部２１と、ディスプレイ２０及び電子部２１を水密に収容する筐体３とを備える温度検出機能付きデジタル式防水時計であって、
センサカバー１１は、筐体３から突出する筒状部位を有し、筒状部位の軸に直交し且つ互いに平行な二方向（上方ＵＤ１及び下方ＵＤ２）に少なくとも開放されるように筐体３との位置関係が設定されている。
【００３２】
このように、センサカバー１１は、筒部の軸に直交し且つ互いに平行な二方向（上方ＵＤ１及び下方ＵＤ２）に少なくとも開放されているので、センサカバー１１の周囲は湯の流動性がよく、湯を滞留させることなく、流動している湯の温度を検出することが可能となる。したがって、多くとも一方向にしか開放されておらず凹部に滞留する湯の温度を検出する従来に比べて、浴槽全体の湯の温度を検出でき、温度の検出精度を向上させることが可能となる。
【００３３】
特に、本実施形態では、センサカバー１１は、筐体３に形成された溝４内部に配置されており、溝４は、センサカバー１１の筒状部位を二方向（上方ＵＤ１及び下方ＵＤ２）に開放するとともに、筒状部位を挟む位置に配置された対をなす溝壁４１で（左右方向ＷＤ）包囲する形状をなし、溝４の幅方向ＷＤから見て溝壁４１がセンサカバー１１の全てに重なり合う溝深さＤ１、溝長さＤ２に設定されている。
この構成によれば、例えば、図４（ａ）に示すように、誤って時計が落下した場合での、センサカバー１１を包囲する土台部３１がセンサカバー１１よりも先に床などに接触するので、センサ部分の破損又は故障を抑制することが可能となる。
【００３４】
さらに、本実施形態では、筐体３は、電子部２１及びディスプレイ２０を収容する偏平形状の本体部３０と、本体部３０の背面側に設けられ本体部３０を起立させるための土台部３１を有し、溝４は、土台部３１の一部を切り欠いた状態にすることで形成されている。
この構成によれば、本体部３０の背面側に設けられる土台部３１の一部を切り欠いた状態にすることで形成される溝４に、センサカバー１１が設けられるので、筐体３から突出するセンサカバー１１を正面から遮蔽でき、正面からの見栄えを損なうことがない。スタイリッシュな時計を提供することが可能となる。
【００３５】
さらに、本実施形態では、筐体３は、筐体３を液体中に浮かせるための中空部３ｈを有し、センサカバー１１は、筐体３が液体中に浮いている状態において液面から所定距離Ｄ３沈んだ位置において水平方向の少なくとも二方向に開放されるように、筐体３との位置関係が規定されている。
この構成によれば、湯や水などの液体中に筐体３が浮いている状態において、センサカバー１１が液面から所定距離Ｄ３沈んだ位置において水平方向の少なくとも二方向に開放されるので、湯や水などの液体に浮かべるだけで、センサカバー１１が開放される二方向を湯の対流する方向に一致させやすくなり、適切な温度検出が可能となる。
【００３６】
さらに、本実施形態では、センサカバー１１とサーミスタ１０とは、熱伝導性を有する接着剤１２で固定されているので、センサカバー１１からサーミスタ１０に伝熱しやすくして、より一層適切な温度検出が可能となる。
【００３７】
さらに、本実施形態では、浸水状態であるか否かを検出する水検知センサ５を備え、電子部２１は、水検知センサ５により浸水状態であることが検出されないときには、予め定められた第一の頻度（１回／１分毎）で温度を繰り返し検出する一方で、水検知センサ５により浸水状態であることが検出されるときには、第一の頻度（１回／１分毎）よりも高い頻度（１回／３０秒毎、又は１回／３秒毎）で温度を繰り返し検出するように構成されている。
この構成によれば、頻繁に温度を検出する必要のない気温測定時には、少ない頻度で温度を検出するので、電力消費を抑制することができ、頻繁に温度を検出する必要のある湯温検出時には、気温測定時よりも高い頻度で温度を検出するので、電力消費を抑制しつつ適切な検出レスポンスを確保することが可能となる。
【００３８】
さらに、本実施形態では、電子部２１は、或る頻度（１回／３秒毎）で温度を繰り返し検出する高速検出モードでの動作と、或る頻度（１回／３秒毎）よりも少ない頻度（１回／３０秒毎）で温度を繰り返し検出する低速検出モードでの動作とを切り替え可能に構成されており、
高速検出モードでの動作時において、所定時間以内に複数回検出した温度の平均値と、最近検出した温度との差が所定範囲内に収まっている場合のみ、低速検出モードでの動作に切り替え、
低速検出モードでの動作時において、最近検出した温度と、前回検出した温度との差が所定値を超えている場合にのみ、前記高速検出モードでの動作に切り替えるように構成されている。
【００３９】
この構成によれば、高速検出モードでの動作時において、所定時間以内に検出した温度の平均値と、最近検出した温度との差が所定範囲内に収まっている場合、すなわち温度変化が少なく温度が安定している場合のみ、低速検出モードに切り替え、低速検出モードでの動作時において、最近検出した温度と、前回検出した温度との差が所定値を超え得ている場合、すなわち温度変化が激しい場合のみ、高速検出モードに切り替えるので、温度変化に応じた高い検出レスポンスと、電力消費の抑制とを両立することが可能となる。
【００４０】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００４１】
例えば、本実施形態のセンサカバー１１は、先細り状の筒状部位のみで形成されているが、これに限定されない。
【００４２】
なお、各部の具体的な構成は、上述した実施形態のみに限定されるものではなく、本考案の趣旨を逸脱しない範囲で種々変形が可能である。
【符号の説明】
【００４３】
１０…サーミスタ
１１…センサカバー
１２…接着剤
２０…ディスプレイ
２１…電子部
３…筐体
３０…本体部
３１…土台部
３ｈ…中空部
４…溝
４１…溝壁
５…水検知センサ
ＷＤ…溝の幅方向
Ｄ１…溝深さ
Ｄ２…溝長さ
【図１】
0003180306.tif 000003
【図２】
0003180306.tif 000004
【図３】
0003180306.tif 000005
【図４】
0003180306.tif 000006
【図５】
0003180306.tif 000007